(57)【要約】【課題】  竿体の表面にデザインを施す点において簡単に行えるものを提供する。【解決手段】  強化繊維ｃに樹脂を含浸させたプリプレグシート２をマンドレル１に巻回して竿素材３を形成する。竿素材３の外周面に装飾用の薄片４又は粒体５を直接付着させ、装飾用の薄片４又は粒体５を付着させた竿素材３の外周面に成形テープ６を巻回する。成形テープ６を巻回した竿素材３を焼成し、焼成後成形テープ６を剥離する。【選択図】        図１
2007300887.tif 000002
【特許請求の範囲】
【請求項１】
プリプレグ製の竿素材に、その竿素材の外周面に装飾用の薄片又は粒体を直接付着させて構成した装飾層を形成してある釣り竿用の竿体。
【請求項２】
強化繊維に樹脂を含浸させたプリプレグシートをマンドレルに巻回して竿素材を形成するとともに、前記竿素材の外周面に装飾用の薄片又は粒体を直接付着させ、装飾用の薄片又は粒体を付着させた竿素材の外周面に成形テープを巻回し、成形テープを巻回した竿素材を焼成し、焼成後成形テープを剥離する釣り竿用の竿体の製造方法。
【発明の詳細な説明】
【技術分野】
【０００１】
本発明は、プリプレグ製の竿素材の外側に、装飾層を配置してある釣り竿用の竿体に関する。
【背景技術】
【０００２】
装飾層を形成するに、プリプレグ製の竿素材の外周面に、シゴキ塗装方法又はスプレー塗装方法とを採用して、ウレタン樹脂等の塗料を塗布して、前記装飾層を形成していた。そして、模様等を形成する場合には、一層目の塗料の上から模様となる二層目、三層目を重ね塗りすることによって、行っていた（特許文献１参照）。
一方、このような塗装のものに、多彩な色彩を付与する観点より、塗料の中に色素を混入させたり、光反射素子を混入させたものを施すものもあった（特許文献２参照）。
【０００３】
【特許文献１】特開平７−３１３３７号公報（段落番号〔０００２〕、及び、図１〜図４）
【特許文献２】特開平５−１７０９５９号公報（段落番号〔００１３〕、及び、図１〜図４）
【発明の開示】
【発明が解決しようとする課題】
【０００４】
特許文献１においては、シゴキ塗装又はスプレー塗装等の塗装装置を必要とするとともに、模様を作成する為には、重ね塗りを必要とし重量増の原因となっていた。また、重ね塗りを行う場合には、模様部分のみを重ね塗りする必要があり、模様を施す部分以外の部分についてはマスクで覆う必要があり、作業の手間がかかるものとなっていた。
特許文献２においては、模様部分を作成する手間を必要とはしないものの、シゴキ塗装又はスプレー塗装等は必要であり、そのための塗装装置も必要となって、製作上でも作業負担の大きなものになっていた。また、塗装内に混入されている光反射素子等が塗装表面に位置する場合には、塗装との接着強度が十分でなく、剥離する面もあった。
【０００５】
本発明の目的は、竿体の表面にデザインを施す点において簡単に行えるものを提供する点にある。
【課題を解決するための手段】
【０００６】
〔構成〕
請求項１に係る発明の特徴構成は、プリプレグ製の竿素材に、その竿素材の外周面に装飾用の薄片又は粒体を直接付着させて構成した装飾層を形成してある点にあり、その作用効果は次の通りである。
【０００７】
〔作用〕
装飾層を形成するのに、装飾用の薄片又は粒体を直接付着させて行っているので、塗料を施すことなく行うことができる。
また、装飾用の薄片や粒体として多種類のものを選定し、それらの組み合わせ又は配置構成に工夫を加えることによって、模様の作成が容易に行える。
【０００８】
〔効果〕
したがって、装飾層を形成する為の塗装工程を省略することができ、かつ、模様作成のための多層塗りを必要とせず、工程の簡素化を図ることができた。
【０００９】
請求項２に係る発明の特徴構成は、強化繊維に樹脂を含浸させたプリプレグシートをマンドレルに巻回して竿素材を形成するとともに、前記竿素材の外周面に装飾用の薄片又は粒体を直接付着させ、装飾用の薄片又は粒体を付着させた竿素材の外周面に成形テープを巻回し、成形テープを巻回した竿素材を焼成し、焼成後成形テープを剥離する点にあり、その作用効果は次の通りである。
【００１０】
〔作用効果〕
つまり、装飾用の薄片又は粒体を付着させ成形テープで巻締めた状態で焼成することとなるので、プリプレグの熱硬化性樹脂が焼成段階で一旦軟化する時点で装飾用の薄片又は粒体が竿素材の外周面に接着され、熱硬化性樹脂が固まる段階で強力に接着される。また、熱硬化性樹脂が軟化する時点で薄片等が自重によってやや熱硬化性樹脂内に沈み込むために、接着面積が拡大し接着度合いが強化され、成形テープを剥離する場合にも、薄片等は剥離しにくいものとなっている。
これによって、薄片等を竿素材の表面に接着するのに、バインダー自体が必要でなく、かつ、その為の工程も必要でなく、竿素材から竿体を製作する工程に変更を加えることなく、焼成する工程の有効利用が図れる。
【発明を実施するための最良の形態】
【００１１】
釣り竿用の竿体Ａを、製造工程を使って説明する。図１（イ）に示すように、マンドレル１に対して、３枚のメインパターン２を巻回して竿素材３を構成する。図１（ロ）（ハ）に示すように、竿素材３の外周面に薄片４を付着し、その上からスパイラル状にポリエステル等の成形テープ６を巻回し、マンドレル１に取り付けた状態で焼成する。焼成後は、成形テープ６をウォータジェット等で剥離し、所定の仕上処理を行って、図１（二）に示すように、竿体Ａとする。
上記場合に、薄片４等が施された竿体Ａの表面を保護する機能を高める為には、表面にクリア塗装を行ってもよい。
【００１２】
図１（イ）に示すように、メインパターン２は、炭素繊維等の強化繊維ｃを一方向に引き揃え、引き揃えた強化繊維ｃ群に対して、エポキシ等の熱硬化樹脂を含浸させて形成したプリプレグシートを所定形状に裁断したものであり、強化繊維ｃを周方向に配置した第1メインパターン２Ａ、強化繊維ｃを軸線方向に配置した第２メインパターン２Ｂ、強化繊維ｃを周方向に配置した第３メインパターン２Ｃを有している。
【００１３】
ここでは、メインパターン２として３枚のものを示したが、枚数に制限はなく、かつ、繊維の方向も任意に選択できる。図示はしていないが、竿先部分、及び、竿尻部分だけに施される補強パターンを設けてよく、また、第３メインパターン２Ｃの上から、プリプレグシートを短い幅に形成したプリプレグテープを竿軸線方向に沿って螺旋状に巻回する構成を採ってもよい。
【００１４】
竿素材３の外周面に、装飾用の薄片４又は粒体５を直接付着させる。ここでは、薄片４又は粒体５について説明する。図２（イ）〜（ヘ）に示すように、薄片４としては、マルとか三角等のありふれた形状のものや、多角形、楕円形ものが使用できる。このような形状になる薄片は、貝殻や魚の鱗等の自然物を材料とし、例えば、貝殻の内側における虹色に輝く部分を薄く箔状に削り取ったもので構成する。また、金、銀、銅などの箔を前記した形状に裁断したものを使用する。
また、図２（チ）に示すように、押し花や昆虫の抜け殻、魚の干物等であれば、何ら加工を加えることなく、薄片として使用できる。
次に、粒体５としては、図２（ト）に示すように、装飾用として使用されるラメや各種金属を粒状にしたものが使用できる。
【００１５】
以上のように、予め裁断した薄片４、及び、粒体５を、図３（イ）及び（ロ）に示すように、竿素材３の外周面に貼り付ける。この貼り付ける方法としては、次ぎのようなものとなる。
（１）  図３（イ）のように、薄片４を散点的に配置する。この場合に、異なる形状のものを組み合わせて貼り付けてもよいが、単一の形状の薄片４を配置してもよい。また、薄片４と粒体５とを組み合わせて配置構成してもよい。
（２）  図３（ロ）のように、隙間無く並べて竿素材３の外周面を薄片４で覆うように配置してもよい。この場合にも、異なる形状の薄片４を配置してもよいが、図３（ロ）に示すように、同一形状の薄片４を配置してもよい。勿論、薄片４を配置した領域と粒体５を配置した領域とを混合して配置構成してもよい。
【００１６】
〔別実施形態〕
（１）  プリプレグとしては、フェノール等の他の熱硬化性樹脂を使用可能であり、また、熱可塑性樹脂も使用可能である。また、強化繊維としては、炭素繊維以外にガラス繊維やボロン繊維が使用可能である。
（２）  薄片４や粒体５を施す対象としては、中空状の竿体Ａに施す形態について説明したが、中実状の竿体に施してもよい。中実状の竿体の製作方法は中空状の竿体とは異なり、次ぎのようなものである。つまり、炭素繊維等の強化繊維群を熱硬化性樹脂を溶融したタンク内を通過させ、強化繊維群に樹脂を含浸させた状態で、ダイス内を通過させて棒状体に形成し、その後、所定長さに裁断し、表面を研磨加工して、中実状の竿体に形成する。
このようにした製作した中実状の竿体の外周面に薄片４等を接着することによって、装飾を施すことができる。
【図面の簡単な説明】
【００１７】
【図１】中空状の竿体の外周面に薄片等を施す製作方法を示すものであって、（イ）はメインパターンをマンドレルに巻回する前の状態を示す斜視図、（ロ）は竿素材を形成し、その外周面に薄片等を施した状態を示す斜視図、（ハ）は成形テープを巻回する状態を示す斜視図、（二）は焼成後の装飾層を示す斜視図
【図２】薄片、粒体の形状を示す斜視図
【図３】竿素材の外周面に薄片等を施す形態を示す構成図で、（イ）は散点状に配置したもの、（ロ）は密接状に配置したもの
【符号の説明】
【００１８】
１            マンドレル
２            プリプレグシート（メインパターン）
３            竿素材（焼成前）
４            薄片
５            粒体
６            成形テープ
【図１】
2007300887.tif 000003
【図２】
2007300887.tif 000004
【図３】
2007300887.tif 000005